Podtech/llm-jp-corpus-v4-ja_patent huggingface dataset:
【手続補正書】
【提出日】平成22年3月11日(2010.3.11)
【手続補正１】
【補正対象書類名】特許請求の範囲
【補正対象項目名】全文
【補正方法】変更
【補正の内容】
【特許請求の範囲】
【請求項１】
遊技領域が形成され、当該遊技領域に向けて遊技球が打ち込まれる遊技盤と、
前記遊技領域に向けて打ち込まれた遊技球を受け入れ困難な閉状態と当該閉状態よりも遊技球を受け入れ容易な開状態との間で開閉動作可能な開閉装置と、
前記遊技領域に設けられる始動口と、
前記遊技領域に向けて打ち込まれた遊技球の前記始動口への入球確率が高められるように動作する可動部材と、
前記始動口に遊技球が入球されたことに応じて、第１の大当たり、及び該第１の大当たりよりも遊技者に有利な第２の大当たりを当選種に含む大当たりにかかる抽選処理を行う抽選手段と、
前記抽選処理において前記大当たりが当選されたとき、前記開閉装置が開閉動作される大当たり遊技を行う特別遊技実行手段と、
前記第１の大当たりが当選されたとき、該当選を契機として、大当たり遊技が実行された後に、前記可動部材が動作するときの動作時間が第１の動作時間に設定されるノーマル遊技状態に制御しうる第１の状態制御手段と、
前記第２の大当たりが当選されたとき、該当選を契機として、大当たり遊技が実行された後に、前記可動部材が動作するときの動作時間が前記第１の動作時間よりも長い第２の動作時間に設定変更されるチャンス遊技状態に制御しうる第２の状態制御手段と、
前記抽選処理の結果が認識可能とされるように特別図柄が変動表示される特別図柄表示器と、
前記特別図柄表示器とは別に、前記抽選処理の結果が遊技者に示唆されるように画像図柄が複数列にて変動表示演出される表示面を有する演出画像表示装置と、
前記抽選処理が行われたとき、前記画像図柄についての変動表示演出にかかる演出制御を行う表示制御手段と、を備え、
前記画像図柄は、第１の画像図柄、及び第２の画像図柄、及び第３の画像図柄、の３種類の画像図柄を各々異なる表示態様をもって含むものであり、
前記表示制御手段は、
前記画像図柄に装飾画像を付加して変動表示演出させる図柄装飾手段、及び
前記大当たりが当選されたことに基づいて、当該大当たりの種別を判断する当選種別判断手段、及び
前記当選種別判断手段により前記第１の大当たりが当選された旨判断されたとき、前記第１の画像図柄を予め定められた大当たり時の表示態様にて前記演出画像表示装置に表示させる第１図柄表示手段、及び
前記当選種別判断手段により前記第２の大当たりが当選された旨判断されたとき、前記第２の画像図柄を予め定められた大当たり時の表示態様にて前記演出画像表示装置に表示させる第２図柄表示手段、及び
前記ノーマル遊技状態においては、前記当選種別判断手段により前記第１の大当たりが当選された旨判断されたときに、前記第３の画像図柄を予め定められた大当たり時の表示態様にて前記演出画像表示装置に表示させる一方で、前記チャンス遊技状態においては、前記当選種別判断手段により前記第２の大当たりが当選された旨判断されたときに、前記第３の画像図柄を予め定められた大当たり時の表示態様にて前記演出画像表示装置に表示させる第３図柄表示手段、を有しており、
前記大当たり遊技が行われるのに先立って当該大当たり遊技が行われた後の遊技状態を示唆するときは、前記ノーマル遊技状態及び前記チャンス遊技状態のいずれの遊技状態にあるかを判断するとともに、該判断の結果と前記当選種別判断手段による判断の結果とに基づいて前記第１図柄表示手段、及び前記第２図柄表示手段、及び第３図柄表示手段のうちの１つを選択的に用いることによって前記演出画像表示装置に該当する情報を導出するものであり、
前記図柄装飾手段は、
前記チャンス遊技状態においては、前記３種類の画像図柄のうちの前記第２の画像図柄及び前記第３の画像図柄にそれぞれ共通した装飾画像を付加することによって、前記第２の画像図柄及び前記第３の画像図柄と、前記第１の画像図柄とが互いに異なる装飾態様となるようにした
ことを特徴とする遊技機。
【請求項２】
前記抽選手段は、前記始動口に遊技球が入球されることに基づいて乱数を取得し、該取得した乱数に基づいて前記抽選処理を行うものである
請求項１に記載の遊技機。
【請求項３】
遊技者が操作可能な操作ハンドルが設けられてなり、該操作ハンドルの操作に応じて前記遊技領域に遊技球が打ち込まれる
請求項１または２に記載の遊技機。
【手続補正書】
【提出日】平成22年3月11日(2010.3.11)
【手続補正１】
【補正対象書類名】特許請求の範囲
【補正対象項目名】全文
【補正方法】変更
【補正の内容】
【特許請求の範囲】
【請求項１】
０．５ｃｍ以下の厚さをもって形成される外壁部を有した左右一対の縦板、及び上下一対の横板が配置されてなる縦長矩形状の外枠と、
前記外壁部の内壁に対向配置される左右一対の本体枠側壁部を含めた薄肉の枠壁部により囲繞されて形成される大収容空間をその容積が２７０００立方センチメートル以上となるように有し、前記外枠の前面一側に軸支されて開閉自在に設けられる本体枠と、
４８ｃｍ以上の最大横幅をもって主として遊技領域が形成される大型遊技板部材に対し、主として演出領域と制御領域とが形成される大規模裏部材が前記大型遊技板部材の裏面側略全域にわたって８〜１５ｃｍの奥行き幅をもって取り付けられてなる遊技演出制御ユニットと、を備え、
前記遊技演出制御ユニットが、前記大型遊技板部材及び前記大規模裏部材共々、最大横幅が４８ｃｍ以上とされた前面収容口から前記大収容空間に収容されてなる
ことを特徴とする遊技機。
【請求項２】
請求項１に記載の遊技機において、
前記本体枠に対して開閉可能な扉枠がさらに設けられてなる遊技機。
【請求項３】
請求項１または２に記載の遊技機において、
遊技者が操作可能な操作ハンドルがさらに設けられてなり、該操作ハンドルの操作に応じて前記遊技領域に遊技球が打ち込まれる遊技機。
【手続補正書】
【提出日】平成22年3月11日(2010.3.11)
【手続補正１】
【補正対象書類名】特許請求の範囲
【補正対象項目名】全文
【補正方法】変更
【補正の内容】
【特許請求の範囲】
【請求項１】
遊技領域が形成され、当該遊技領域に向けて遊技球が打ち込まれる遊技盤と、
前記遊技領域に向けて打ち込まれた遊技球を受け入れ困難な閉状態と当該閉状態よりも遊技球を受け入れ容易な開状態との間で開閉動作可能な開閉装置と、
前記遊技領域に設けられる始動口と、
前記遊技領域に向けて打ち込まれた遊技球の前記始動口への入球確率が高められるように動作する可動部材と、
前記始動口に遊技球が入球されたことに応じて、第１の大当たり、及び該第１の大当たりよりも遊技者に有利な第２の大当たりを当選種に含む大当たりにかかる抽選処理を行う抽選手段と、
前記抽選処理において前記大当たりが当選されたとき、前記開閉装置が開閉動作される大当たり遊技を行う特別遊技実行手段と、
前記第１の大当たりが当選されたとき、該当選を契機として、大当たり遊技が実行された後に、前記可動部材が動作するときの動作時間が第１の動作時間に設定されるノーマル遊技状態に制御しうる第１の状態制御手段と、
前記第２の大当たりが当選されたとき、該当選を契機として、大当たり遊技が実行された後に、前記可動部材が動作するときの動作時間が前記第１の動作時間よりも長い第２の動作時間に設定変更されるチャンス遊技状態に制御しうる第２の状態制御手段と、
前記抽選処理の結果が認識可能とされるように特別図柄が変動表示される特別図柄表示器と、
前記特別図柄表示器とは別に、前記抽選処理の結果が遊技者に示唆されるように画像図柄が複数列にて変動表示演出される表示面を有する演出画像表示装置と、
前記抽選処理が行われたとき、前記画像図柄についての変動表示演出にかかる演出制御を行う表示制御手段と、を備え、
前記演出画像表示装置にて変動表示演出される前記画像図柄は、
前記ノーマル遊技状態に制御されることを示唆する第１の画像図柄、及び
前記チャンス遊技状態に制御されることを示唆する第２の画像図柄、及び
前記ノーマル遊技状態にあるときは前記ノーマル遊技状態に制御されることを示唆するにもかかわらず、前記チャンス遊技状態にあるときは前記チャンス遊技状態に制御されることを示唆する第３の画像図柄、の３種類の画像図柄を含んでおり、
前記表示制御手段は、
前記ノーマル遊技状態において前記第１の大当たりが当選されたとき、前記第１の画像図柄及び前記第３の画像図柄のいずれかを前記演出画像表示装置に表示させることによって、当該第１の大当たりに応じた大当たり遊技が行われた後に、前記ノーマル遊技状態に制御されることを示唆する第１の大当たり時表示制御手段、及び
前記チャンス遊技状態において前記第１の大当たりが当選されたとき、前記第１の画像図柄を前記演出画像表示装置に表示させることによって、当該第１の大当たりに応じた大当たり遊技が行われた後に、前記ノーマル遊技状態に制御されることを示唆する第２の大当たり時表示制御手段、及び
前記ノーマル遊技状態において前記第２の大当たりが当選されたとき、前記第２の画像図柄を前記演出画像表示装置に表示させることによって、当該第２の大当たりに応じた大当たり遊技が行われた後に、前記チャンス遊技状態に制御されることを示唆する第３の大当たり時表示制御手段、及び
前記チャンス遊技状態において前記第２の大当たりが当選されたとき、前記第２の画像図柄及び前記第３の画像図柄のいずれかを前記演出画像表示装置に表示させることによって、当該第２の大当たりに応じた大当たり遊技が行われた後に、前記チャンス遊技状態に制御されることを示唆する第４の大当たり時表示制御手段、を備える
ことを特徴とする遊技機。
【請求項２】
前記抽選手段は、前記始動口に遊技球が入球されることに基づいて乱数を取得し、該取得した乱数に基づいて前記抽選処理を行うものである
請求項１に記載の遊技機。
【請求項３】
遊技者が操作可能な操作ハンドルが設けられてなり、該操作ハンドルの操作に応じて前記遊技領域に遊技球が打ち込まれる
請求項１または２に記載の遊技機。
【手続補正書】
【提出日】平成22年3月11日(2010.3.11)
【手続補正１】
【補正対象書類名】特許請求の範囲
【補正対象項目名】全文
【補正方法】変更
【補正の内容】
【特許請求の範囲】
【請求項１】
遊技領域が形成され、当該遊技領域に向けて遊技球が打ち込まれる遊技盤と、
前記遊技領域に向けて打ち込まれた遊技球を受け入れ困難な閉状態と当該閉状態よりも遊技球を受け入れ容易な開状態との間で開閉動作可能な開閉装置と、
前記遊技領域に設けられる始動口と、
前記遊技領域に向けて打ち込まれた遊技球の前記始動口への入球確率が高められるように動作する可動部材と、
前記始動口に遊技球が入球されることに応じて、第１の大当たり、及び該第１の大当たりよりも遊技者に有利な第２の大当たりを当選種に含む大当たりにかかる抽選処理を行う抽選手段と、
前記抽選手段により前記大当たりが当選されたことに基づいて前記開閉装置が開閉動作される大当たり遊技を行う特別遊技実行手段と、
前記第１の大当たりが当選されたときは、該当選を契機として、大当たり遊技が実行された後、前記可動部材が動作するときの動作時間が第１の動作時間に設定されるノーマル遊技状態に制御しうる一方で、前記第２の大当たりが当選されたときは、該当選を契機として、大当たり遊技が実行された後、前記可動部材が動作するときの動作時間が前記第１の動作時間よりも長い第２の動作時間に設定変更されるチャンス遊技状態に制御しうる状態制御手段と、
前記抽選処理が行われたとき、前記抽選処理の結果が認識可能とされるように特別図柄が変動表示される特別図柄表示器と、
前記特別図柄表示器とは別に、前記抽選処理の結果が遊技者に示唆されるように画像図柄が複数列にて変動表示演出される表示面を有する演出画像表示装置と、
前記抽選処理が行われたとき、前記画像図柄についての変動表示演出にかかる演出制御を行う表示制御手段と、を備え、
前記大当たりは、前記ノーマル遊技状態に移行する契機となる前記第１の大当たり、及び前記チャンス遊技状態に移行する契機となる前記第２の大当たりのほか、前記ノーマル遊技状態においては前記第１の大当たりの当たり分配率が最も高い当たり分配率となるように前記第１の大当たりとして機能する一方で、前記チャンス遊技状態においては前記第２の大当たりの当たり分配率が最も高い当たり分配率となるように前記第２の大当たりとして機能する第３の大当たりを含むものであり、
前記状態制御手段は、
前記第３の大当たりが当選されたとき、前記チャンス遊技状態にあるか否かを判断する状態判断手段、及び
前記状態判断手段により前記チャンス遊技状態にない旨判断されたときは、前記第３の大当たりの当選に応じた大当たり遊技が実行されたのちの遊技状態を前記ノーマル遊技状態に制御する一方で、前記状態判断手段により前記チャンス遊技状態にある旨判断されたときは、前記第３の大当たりの当選に応じた大当たり遊技が実行されたのちの遊技状態を前記チャンス遊技状態に制御する特別状態制御手段、を備えることによって、前記チャンス遊技状態への突入率に対してその継続率を高く設定するものであり、
前記演出画像表示装置にて変動表示演出される前記画像図柄は、
前記ノーマル遊技状態に制御されることを示唆する第１の画像図柄、及び
前記チャンス遊技状態に制御されることを示唆する第２の画像図柄、及び
前記ノーマル遊技状態にあるときは前記ノーマル遊技状態に制御されることを示唆するにもかかわらず、前記チャンス遊技状態にあるときは前記チャンス遊技状態に制御されることを示唆する第３の画像図柄、の３種類の画像図柄を、前記第１の画像図柄の総数が前記３種類の画像図柄の総数の半分未満となるように有するとともに、
前記表示制御手段は、
前記大当たりが当選されたとき、当該大当たりに応じた大当たり遊技が行われた後に前記状態制御手段によって制御される遊技状態を示す内部確定情報を、該大当たり遊技が行われるのに先立って前記演出画像表示装置に導出する内部確定情報導出手段を有しており、
前記内部確定情報導出手段は、
前記ノーマル遊技状態において前記第１の大当たり及び前記第３の大当たりのいずれかが当選されたとき、前記第１の画像図柄及び前記第３の画像図柄のいずれかを選択するとともに、該選択された画像図柄を当該大当たりに応じた大当たり遊技が行われるのに先立って予め定められた大当たり時の表示態様にて前記演出画像表示装置に表示させることによって、前記状態制御手段によって制御される遊技状態が前記ノーマル遊技状態であることを示す内部確定情報を前記演出画像表示装置に導出する第１の大当たり時表示制御手段、及び
前記チャンス遊技状態において前記第１の大当たりが当選されたとき、当該大当たりに応じた大当たり遊技が行われるのに先立って前記第１の画像図柄を予め定められた大当たり時の表示態様にて前記演出画像表示装置に表示させることによって、前記状態制御手段によって制御される遊技状態が前記ノーマル遊技状態であることを示す内部確定情報を前記演出画像表示装置に導出する第２の大当たり時表示制御手段、及び
前記ノーマル遊技状態において前記第２の大当たりが当選されたとき、当該大当たりに応じた大当たり遊技が行われるのに先立って前記第２の画像図柄を予め定められた大当たり時の表示態様にて前記演出画像表示装置に表示させることによって、前記状態制御手段によって制御される遊技状態が前記チャンス遊技状態であることを示す内部確定情報を前記演出画像表示装置に導出する第３の大当たり時表示制御手段、及び
前記チャンス遊技状態において前記第２の大当たり及び前記第３の大当たりのいずれかが当選されたとき、前記第２の画像図柄及び前記第３の画像図柄のいずれかを選択するとともに、該選択された画像図柄を当該大当たりに応じた大当たり遊技が行われるのに先立って予め定められた表示態様にて前記演出画像表示装置に表示させることによって、前記状態制御手段によって制御される遊技状態が前記チャンス遊技状態であることを示す内部確定情報を前記演出画像表示装置に導出する第４の大当たり時表示制御手段、を備える
ことを特徴とする遊技機。
【請求項２】
前記抽選手段は、前記始動口に遊技球が入球されることに基づいて乱数を取得し、該取得した乱数に基づいて前記抽選処理を行うものである
請求項１に記載の遊技機。
【請求項３】
遊技者が操作可能な操作ハンドルが設けられてなり、該操作ハンドルの操作に応じて前記遊技領域に遊技球が打ち込まれる
請求項１または２に記載の遊技機。
【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
縦長矩形状に形成された外枠と、
前記外枠の前面一側に軸支されて開閉自在に設けられた本体枠と、
前記本体枠に収容され、主として遊技領域が形成される遊技板部、及び、当該遊技板部の裏面側略全域に主として演出領域が形成される広域空間保有部を有する遊技演出ユニットと
を備えた遊技機であって、
前記本体枠は、前記外枠に対し閉じられた状態において、前記遊技板部の側部を前記外枠の内端に近接させるように形成され、前記遊技板部の側部と前記外枠の内端との間に、後方へ延設された薄肉状の本体枠側壁部、
前記遊技板部の上部と前記外枠の内端との間に、後方へ延設された薄肉状の本体枠上壁部、及び、
各種電気部品を収容すべく設計された下部の設置スペースに近接するように、後方へ延設された薄肉状の本体枠下壁部を有していること
を特徴とする遊技機。
【請求項２】
前記本体枠側壁部、前記本体枠上壁部、及び、前記本体枠下壁部は、前記外枠に対向配置される部分と、当該部分から後方へ延設される部分とで構成されている
ことを特徴とする請求項１に記載の遊技機。
【請求項３】
前記本体枠側壁部、前記本体枠上壁部、及び、前記本体枠下壁部は、前記外枠に対向配置される部分と、当該部分から後方へ延設される部分とが一定成形されてなる
ことを特徴とする請求項２に記載の遊技機。
【手続補正書】
【提出日】平成22年3月11日(2010.3.11)
【手続補正１】
【補正対象書類名】特許請求の範囲
【補正対象項目名】全文
【補正方法】変更
【補正の内容】
【特許請求の範囲】
【請求項１】
遊技領域が形成され、当該遊技領域に向けて遊技球が打ち込まれる遊技盤と、
前記遊技領域に向けて打ち込まれた遊技球を受け入れ困難な閉状態と当該閉状態よりも遊技球を受け入れ容易な開状態との間で開閉動作可能な開閉装置と、
前記遊技領域に設けられる始動口と、
前記遊技領域に向けて打ち込まれた遊技球の前記始動口への入球確率が高められるように動作する可動部材と、
前記始動口に遊技球が入球されることに基づいて大当たりにかかる抽選処理を行うとともに、該抽選処理に際しては、当該抽選処理を一旦保留の状態とする抽選手段と、
前記保留の状態が解除されることによって行われる前記抽選処理において前記大当たりが当選されたとき、前記開閉装置が開閉動作される大当たり遊技を行う特別遊技実行手段と、
前記保留の状態が解除されることによって行われる前記抽選処理の結果が認識可能とされるように特別図柄が変動表示される特別図柄表示器と、
前記特別図柄表示器とは別に、前記抽選処理の結果が遊技者に示唆されるように複数の画像図柄が変動表示演出される表示面を有する演出画像表示装置と、
前記抽選処理が行われたとき、前記複数の画像図柄についての変動表示演出にかかる演出制御を行う表示制御手段と、を備え、
前記表示制御手段は、
前記特別図柄が変動表示されてから停止表示されるまでの間に、前記複数の画像図柄を１回だけ変動表示演出させることによって前記抽選処理の結果を遊技者に示唆する通常演出制御手段、及び
前記特別図柄が変動表示されてから停止表示されるまでの間に、前記特別図柄表示器では当該特別図柄が１回しか変動表示されないにもかかわらず、前記複数の画像図柄が複数回にわたって変動表示演出されるように前記演出制御を行うことによって前記抽選処理の結果を遊技者に示唆する特別演出制御手段、及び
前記変動表示演出として大当たりへの当選の期待度が高い高期待演出が行われるとき、当該高期待演出の実行に先立って、前記保留の状態とされている抽選処理の処理数を判断する処理数判断手段、及び
前記処理数判断手段によって判断された処理数に応じて、前記通常演出制御手段及び前記特別演出制御手段のいずれを選択して前記演出制御を行うべきかを判断する判断処理を行う演出内容判断手段、を有し、該演出内容判断手段による判断処理の結果に基づいて、前記通常演出制御手段及び前記特別演出制御手段のいずれかによって前記演出制御を行うものであり、
前記演出内容判断手段は、前記処理数判断手段によって判断された処理数が多いときよりも少ないときのほうが、前記特別演出制御手段を選択する確率が高くなるように前記判断処理を行うようにした
ことを特徴とする遊技機。
【請求項２】
前記抽選手段は、前記始動口に遊技球が入球されることに基づいて乱数を取得し、該取得した乱数に基づいて前記抽選処理を行うものである
請求項１に記載の遊技機。
【請求項３】
遊技者が操作可能な操作ハンドルが設けられてなり、該操作ハンドルの操作に応じて前記遊技領域に遊技球が打ち込まれる
請求項１または２に記載の遊技機。
【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
背凭シートに対して起立させた頭部支持状態と、該頭部支持状態から傾倒して格納状態とすることが可能なヘッドレストにおいて、
横軸部を有し、前記背凭シートの上部に装着された支持部材と、
該支持部材の横軸部と回動可能に係合されるヘッドレストフレームと、
該ヘッドレストフレームを一方側へ付勢するフレーム付勢手段と、
前記ヘッドレストフレームと前記支持部材との回動を阻止可能なロック手段と、
該ロック手段を操作し、前記ヘッドレストフレームの回動方向と異なる方向へ可動な操作杆と、
該操作杆を付勢する操作杆付勢手段と、
前記ヘッドレストフレームに回動可能に軸支されると共に前記操作杆と係合され、前記操作杆の可動により回動するラチェットと、
を備え、
前記操作杆付勢手段は、前記操作杆の可動方向に対して、前記ラチェット側へ所定角度をもって前記操作杆を付勢することを特徴とするヘッドレスト。
【請求項２】
前記ヘッドレストフレームの外周側には、カバー材が配設され、該カバー材の前記操作杆の配置位置には、前記操作杆の端部を延出可能に穴が形成され、該穴にはガーニッシュが配設され、該ガーニッシュから延出した前記操作杆の端部には、操作つまみが配設され、該操作つまみは、前記操作杆付勢手段の付勢方向で、前記ガーニッシュと最も近接するように構成されていることを特徴とする請求項１記載のヘッドレスト。
【請求項３】
前記ヘッドレストフレームには、少なくとも前記操作杆付勢手段の配設位置と反対側に前記操作杆に向けて内側に折り曲げられた舌片が、前記操作杆を挟んで形成され、該舌片が前記操作杆を案内していることを特徴とする請求項１又は２記載のヘッドレスト。
【請求項４】
前記請求項１乃至３のいずれか１項記載のヘッドレストを備えた車両用シート。
【手続補正２】
【補正対象書類名】明細書
【補正対象項目名】０００８
【補正方法】変更
【補正の内容】
【０００８】
前記課題は、請求項１に係るヘッドレストによれば、背凭シートに対して起立させた頭部支持状態と、該頭部支持状態から傾倒して格納状態とすることが可能なヘッドレストにおいて、横軸部を有し、前記背凭シートの上部に装着された支持部材と、該支持部材の横軸部と回動可能に係合されるヘッドレストフレームと、該ヘッドレストフレームを一方側へ付勢するフレーム付勢手段と、前記ヘッドレストフレームと前記支持部材との回動を阻止可能なロック手段と、該ロック手段を操作し、前記ヘッドレストフレームの回動方向と異なる方向へ可動な操作杆と、該操作杆を付勢する操作杆付勢手段と、前記ヘッドレストフレームに回動可能に軸支されると共に前記操作杆と係合され、前記操作杆の可動により回動するラチェットと、を備え、前記操作杆付勢手段は、前記操作杆の可動方向に対して、前記ラチェット側へ所定角度をもって前記操作杆を付勢すること、により解決される。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
上記のように構成することで、操作杆付勢手段により、ヘッドレストフレームの回動方向と異なる方向へ可動な操作杆に対して一定の方向への力が加わり、この一定の方向への力により、操作杆の移動方向と異なる方向への動きが規制されて、操作杆のガタ付きを防止でき、異音（雑音）の発生を防止することができる。
【手続補正６】
【補正対象書類名】明細書
【補正対象項目名】００１２
【補正方法】変更
【補正の内容】
【００１２】
上記構成において、請求項２のように、前記ヘッドレストフレームの外周側には、カバー材が配設され、該カバー材の前記操作杆の配置位置には、前記操作杆の端部を延出可能に穴が形成され、該穴にはガーニッシュが配設され、該ガーニッシュから延出した前記操作杆の端部には、操作つまみが配設され、該操作つまみは、前記操作杆付勢手段の付勢方向で、前記ガーニッシュと最も近接するように構成されていると好適である。
【手続補正７】
【補正対象書類名】明細書
【補正対象項目名】００１３
【補正方法】変更
【補正の内容】
【００１３】
このように、操作杆付勢手段の付勢方向で、操作つまみとガーニッシュとが最も近接するように構成されていると、操作つまみとガーニッシュとの間の距離が最も近くなり、或いは当接して、走行中の揺れ等によって生じるガタ付きを防止することが可能となる。
【手続補正８】
【補正対象書類名】明細書
【補正対象項目名】００１４
【補正方法】変更
【補正の内容】
【００１４】
また上記構成において、請求項３のように、前記ヘッドレストフレームには、少なくとも前記操作杆付勢手段の配設位置と反対側に前記操作杆に向けて内側に折り曲げられた舌片が、前記操作杆を挟んで形成され、該舌片が前記操作杆を案内すると好適である。
【手続補正９】
【補正対象書類名】明細書
【補正対象項目名】００１５
【補正方法】変更
【補正の内容】
【００１５】
このように構成すると、操作杆付勢手段の配設位置側では、操作つまみとガーニッシュとの間の距離が最も近くなり、或いは当接し、他方側では操作杆が舌片に当接して案内される部分によって、位置が固定される。このため、走行中の揺れ等によって生じる操作杆のガタ付きを防止でき、異音や雑音の発生を予防することが可能となる。
【手続補正１０】
【補正対象書類名】明細書
【補正対象項目名】００１６
【補正方法】変更
【補正の内容】
【００１６】
前記課題は、請求項４に係る車両用シートによれば、前記請求項１乃至３のいずれか１項記載のヘッドレストを備えたことにより解決される。
【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
縦長矩形状に形成された外枠と、
前記外枠の前面一側に軸支されて開閉自在に設けられる本体枠と、
前記本体枠に収容され、主として遊技領域が形成される遊技板部、及び、当該遊技板部の裏面側略全域に主として演出領域が形成される広域空間保有部を有する遊技演出ユニットと
前記外枠に対する前記本体枠の開放を規制するよう前記本体枠の自由端側に設けられ、上下方向に摺動可能な摺動杆で構成される施錠装置と
を備えた遊技機であって、
前記外枠は、長手方向に配置された縦枠、及び短手方向に配置された横枠で構成され、
前記縦枠は、薄板部材で形成され、当該縦枠の外縁を形成する略平坦な外壁部と、当該外壁部の後部から内側に折り曲げられて又は立設されて形成された厚み部とからなり、前記外壁部の内側に、前記厚み部の幅の縦枠内スペースが形成されており、
前記本体枠は、前記外枠に対し閉じられた状態において、前記摺動杆が自由端側の縦枠内スペースに収容されると共に前記遊技板部の側部を前記縦枠の内端に近接させるように形成され、前記遊技板部の側部と前記縦枠の内端との間に、薄肉状の本体枠側壁部を有している
ことを特徴とする遊技機。
【請求項２】
前記本体枠は、前記外枠に対し閉じられた状態において、前記摺動杆の操作が困難となるように、前記本体枠側壁部が前記厚み部に近接するように形成されている
ことを特徴とする請求項１に記載の遊技機。
【請求項３】
前記施錠装置は、前記摺動杆を上下方向に摺動させることが可能な操作部を有し、
前記操作部は、前記本体枠側壁部よりも下方に設けられている
ことを特徴とする請求項１または請求項２に記載の遊技機。
【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
縦長矩形状に形成された外枠と、
前記外枠の前面一側に軸支されて開閉自在に設けられた本体枠と、
前記本体枠に収容され、主として遊技領域が形成される遊技板部、及び、当該遊技板部の裏面側略全域に主として演出領域が形成される広域空間保有部を有する遊技演出ユニットと
を備えた遊技機であって、
前記本体枠は、前記外枠に対し閉じられた状態において、前記遊技板部の側部を前記外枠の内端に近接させるように形成され、前記遊技板部の側部と前記外枠の内端との間に、薄肉状の本体枠側壁部を有している
ことを特徴とする遊技機。
【請求項２】
前記本体枠側壁部は、前記外枠に対向配置される部分と、当該部分から後方へ延設される部分とで構成されている
ことを特徴とする請求項１に記載の遊技機。
【請求項３】
前記本体枠側壁部は、前記外枠に対向配置される部分と、当該部分から後方へ延設される部分とが一定成形されてなる
ことを特徴とする請求項２に記載の遊技機。
【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
薄板部材で略平坦に形成される外壁部及び、当該外壁部から内側に折り曲げられて又は立設されて形成される厚み部を有する縦枠を配置してなる縦長矩形状の外枠と、
前記外枠の前面一側に軸支されて開閉自在に設けられ、前記縦枠の前記外壁部から前記厚み部の幅だけ内側に位置するよう左右方向に対向配置される本体枠側壁部、並びに、上下方向に対向配置される本体枠上壁部及び本体枠下壁部にて囲繞されてなる収容部を有する本体枠と、
前記本体枠の前記収容部に収容され、主として遊技領域が形成される遊技板部、及び、当該遊技板部の裏面側略全域に主として演出領域が形成される広域空間保有部を有する遊技演出ユニットと
を備えている
ことを特徴とする遊技機。
【請求項２】
前記縦枠は、前記外壁部の内側に、前記厚み部の幅の縦枠内スペースを有している
ことを特徴とする請求項１に記載の遊技機。
【請求項３】
前記縦枠は、その前端部に前記外壁部が張り出すように形成されている
ことを特徴とする請求項１または請求項２に記載の遊技機。
【手続補正書】
【提出日】平成22年2月23日(2010.2.23)
【手続補正１】
【補正対象書類名】特許請求の範囲
【補正対象項目名】請求項１
【補正方法】変更
【補正の内容】
【請求項１】
ａ）標的ＲＮＡを含むとされる試料を提供する工程
ｂ）該標的ＲＮＡをｃＤＮＡに逆転写するためおよび該ｃＤＮＡの少なくとも一部を増幅するために必要な全ての試薬を含む反応混合物を添加する工程
ｃ）２０℃〜６５℃の温度で０秒〜４０秒の時間間隔の間、該試料をインキュベートする工程
ｄ）該試料の温度が、少なくとも９０℃〜１００℃の第１の温度と５０℃〜７５℃の第２の温度との間で変化する、複数サイクルの熱サイクリングプロトコールに該試料を供する工程
を含む、標的ＲＮＡを増幅するためのワンステップＲＴ−ＰＣＲを実施する方法。
【手続補正２】
【補正対象書類名】特許請求の範囲
【補正対象項目名】請求項７
【補正方法】変更
【補正の内容】
【請求項７】
前記ワンステップＲＴ−ＰＣＲ反応が、少なくともＤＮＡ依存性ポリメラーゼ活性を含む熱安定性ポリメラーゼおよび少なくとも逆転写酵素の混合物によって触媒されることを特徴とする、請求項１〜４いずれか記載の方法。
【手続補正書】
【提出日】平成22年3月30日(2010.3.30)
【手続補正１】
【補正対象書類名】明細書
【補正対象項目名】００１９
【補正方法】変更
【補正の内容】
【００１９】
体重減少停滞抑制を目的としてＬ−カルニチン（ロンザジャパン株式会社）、整腸作用の知られているキシロオリゴ糖（サントリー株式会社）、タンパク質、ビタミン類、およびミネラルに、その他の賦形剤や香料などを適量加えて、常法に従って混合・造粒することによって、表１に示す処方を有する低カロリー食品の試験サンプルＡ（フォーミュラ食）を製造した。その１食分である５０ｇの熱量は１７８ｋｃａｌであった。摂取の際はこれを約350mLの水に溶解させた。
【手続補正書】
【提出日】平成22年4月5日(2010.4.5)
【手続補正１】
【補正対象書類名】明細書
【補正対象項目名】００２３
【補正方法】変更
【補正の内容】
【００２３】
図１に示すように、この携帯式動力刈払機Ａは、操作管１００と、この操作管１００の基端部に連結されたエンジン２００と、操作管１００の先端部に取付けられた回転刃３００と、操作管１００の先端部に支持され、回転刃３００の上面の一部と後方側の外周を覆う飛散防止カバー４００とを備えて大略構成されている。操作管１００には、操作ハンドル１０１が取付けられている。作業者は、操作管１００の適部に連結された肩掛けベルトを肩に掛け、操作管１００を吊り下げるようにしつつ、操作ハンドル１０１を操作して、操作管１００を左右に振回し、回転刃３００を地面に沿って移動させることにより、刈払い作業を行う。
【手続補正２】
【補正対象書類名】明細書
【補正対象項目名】００２４
【補正方法】変更
【補正の内容】
【００２４】
図２および図３に示すように、操作管１００は、パイプ状の部材で構成され、基端側の第１部分１００Ａと、先端側の第２部分１００Ｂとを備えている。第２部分１００Ｂは、第１部分１００Ａに対し、回転刃３００の近傍において、横方向の軸１１０を中心として回動可能に連結されている。操作管１００の内部には、伝動軸保持管１２１が内装され、この伝動軸保持管１２１の内部には、伝動軸１２０が通挿されている。伝動軸１２０の基端側は、図示しないクラッチ機構を介して、エンジン２００の出力軸に連携されている。
【手続補正３】
【補正対象書類名】明細書
【補正対象項目名】００２７
【補正方法】変更
【補正の内容】
【００２７】
上記連結部材１４０の筒部１４０ａには、回転刃支持部材１６０がその基端筒部１６０ａを嵌め込むことによって連結されている。回転刃支持部材１６０は、上記伝動軸１２０の先端部が挿通接続された第１の傘歯車１６１と、この第１の傘歯車１６１に噛み合う第２の傘歯車１６２と、この第２の傘歯車１６２が取付けられた回転刃支持軸１６３とをハウジング１６４に内装して構成されている。第１の傘歯車１６１および回転刃支持軸１６３は、それぞれ、ハウジング１６４に対してベアリング１６５，１６６を介して回転可能に支持されている。
【手続補正４】
【補正対象書類名】明細書
【補正対象項目名】００３０
【補正方法】変更
【補正の内容】
【００３０】
基端側取付け部４１０は、ハウジング１６４の上記円筒型突部１６９の外径と対応した穴４１１をもつドーナツ状円板部４１０ａからなる。なお、本実施形態では、上記ドーナツ円板部４１０ａの外周からスカート筒状に回転刃３００の上面近傍までのびる巻き込み防止壁４１２が一体となって形成されている。この基端側取付け部４１０は、その穴４１１を上記円筒型突部１６９にその根元まで嵌め込むとともに、上記した回転刃挟持用第１部材３１０に設けた挟圧部３１０ａとフランジ状支持面１７０との間にドーナツ状円板部４１０ａを挟持することによって取付けられる。
【手続補正５】
【補正対象書類名】明細書
【補正対象項目名】００４４
【補正方法】変更
【補正の内容】
【００４４】
Ａ        携帯式動力刈払機
１００    操作管
１００Ａ  第１部分
１００Ｂ  第２部分
１２０    伝動軸
１６０    回転刃支持部材
１６３    回転刃支持軸
２００    エンジン
３００    回転刃
４００    飛散防止カバー
４１０    基端側取付け部
４２０    上面被覆部
４３０    外周被覆部
【手続補正６】
【補正対象書類名】図面
【補正対象項目名】図２
【補正方法】変更
【補正の内容】
【図２】
2008253222.tif 000001
【手続補正７】
【補正対象書類名】図面
【補正対象項目名】図３
【補正方法】変更
【補正の内容】
【図３】
2008253222.tif 000002
【手続補正書】
【提出日】平成22年6月23日(2010.6.23)
【手続補正１】
【補正対象書類名】特許請求の範囲
【補正対象項目名】請求項４
【補正方法】変更
【補正の内容】
【請求項４】
火炎基部領域及び／又は前記火炎基部領域の鉛直上方の領域を挟む又は囲むように配設され、燃料面を除いて火炎に対してウォーターミストを噴射するとともに、前記ウォーターミストの一部を前記火炎の外縁に沿って上昇させるように噴射する複数のミストノズルと、
前記各々のミストノズルに対して消火剤を送給する送給手段とを備える
消火装置。
【手続補正２】
【補正対象書類名】図面
【補正対象項目名】図１Ｂ
【補正方法】変更
【補正の内容】
【図１Ｂ】
2009125235.tif 000001
【手続補正３】
【補正対象書類名】図面
【補正対象項目名】図２Ｂ
【補正方法】変更
【補正の内容】
【図２Ｂ】
2009125235.tif 000002
【手続補正４】
【補正対象書類名】図面
【補正対象項目名】図３
【補正方法】変更
【補正の内容】
【図３】
2009125235.tif 000003
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
上蓋部材と下蓋部材を上下に結合して蓋の内部空間を形成し、前記下蓋部材の上側に補強板を添え付け、この補強板を両側のフランジの縦壁間を水平な平板部で繋いだ形状とし、前記蓋の内部で蓋フックをフック回転軸回りに揺動自在に支持し、前記両側のフランジの間に位置する領域の上方にフック解除ボタンを配置し、前記蓋フックに、前記フック解除ボタンの下方に位置する操作伝達部を形成し、前記フック解除ボタンが前記操作伝達部を下側に押すことにより前記蓋フックがフック解除位置に変位するようにし、かつフック解除位置への変位後に該操作伝達部の回転停止位置が蓋内の回転規制部で決まるようにした炊飯器において、前記回転規制部を、前記蓋フックがフック解除位置に変位した後に前記操作伝達部又は前記フック解除ボタンとの当りで該蓋フック又は該フック解除ボタンの押し下げを阻止するように設け、前記回転規制部と前記操作伝達部又は前記フック解除ボタンとが当る位置を、前記操作伝達部の下面又は前記フック解除ボタンより下方であって、かつ前記平板部の上板面より上方としたことを特徴とする炊飯器。
【請求項２】
前記炊飯鍋内が大気圧より高い加圧炊飯状態で前記蓋が開放されないようにする安全開放装置を前記蓋内に構成し、その安全開放装置を構成する部材に前記回転規制部を一体に設けた請求項１に記載の炊飯器。
【請求項３】
炊飯鍋内と外部間の蒸気路に組み込まれた調圧弁と、ソレノイドコイルの駆動軸に連結されたスライダとを備え、このスライダは、前記駆動軸の進退により、前記操作伝達部又は前記フック解除ボタンとの当りにより前記蓋フックのフック解除位置への変位を阻止し、かつ前記調圧弁の閉弁を許すロック位置と、該操作伝達部又は該フック解除ボタンとの当りが外れて該蓋フックのフック解除位置への変位を許し、かつ該調圧弁を強制開弁するロック解除位置とを往復移動させられるようにし、前記スライダに、前記回転規制部を前記補強板の上板面を摺動するように設け、前記ロック解除位置で前記回転規制部が前記蓋フックの前記操作伝達部の下面又は前記フック解除ボタンの回転半径上に位置し、かつ前記フック解除位置への変位後に該操作伝達部又は該フック解除ボタンに当るようにした請求項１に記載の炊飯器。
【請求項４】
前記回転規制部を、前記ロック位置で前記操作伝達部又は該フック解除ボタンの回転半径上に位置する前記スライダのロック部より低く、かつ蓋フック側に突き出して設けることによりフック解除位置への変位後に該操作伝達部又は該フック解除ボタンに当るようにした請求項３に記載の炊飯器。
【請求項５】
前記回転規制部を、前記操作伝達部に繋がる突片を下向きに折り曲げて該操作伝達部の下面より下方に突き出すように形成した請求項１に記載の炊飯器。
【請求項６】
前記回転規制部を、前記平板部を上方に切り起こして前記上板面より上方に突き出すように形成した請求項１に記載の炊飯器。
【手続補正書】
【提出日】平成22年9月29日(2010.9.29)
【手続補正１】
【補正対象書類名】明細書
【補正対象項目名】００２６
【補正方法】変更
【補正の内容】
【００２６】
原料となる天然繊維としては、例えば、木材パルプ、非木材パルプ、コットン、再生セルロース、バクテリアセルロース等を用いることができる。
【手続補正書】
【提出日】平成22年10月28日(2010.10.28)
【手続補正１】
【補正対象書類名】明細書
【補正対象項目名】００６２
【補正方法】変更
【補正の内容】
【００６２】
なお、本実施形態では、ソレノイドコイル５４０の回路５４５が有する３つの共振周波数ｆＡ、ｆＢ、ｆＣが（式６）を満たすように調整したが、調整はこれに限定されるものではない。通常、ＲＦコイルの設計では、被検体程度の負荷による損失が発生した場合、検出対象の磁気共鳴周波数での位相が±３０度以内となるよう調整される。従って、本実施形態のソレノイドコイル５４０においても、位相の変化が±３０度以内となるよう調整できればよい。具体的には、３つの共振周波数ｆＡ、ｆＢ、ｆＣが以下の（式１７）を満たすように調整されていれば、損失の大きさが変動しても、検出対象の磁気共鳴周波数での位相の変動は±３０度以内となり、実用に耐える。
【数１７】
2009125075.tif 000001
なお、このときのｆＢ、ｆＣの周波数領域を図７（ｅ）に示す。
【手続補正２】
【補正対象書類名】明細書
【補正対象項目名】００９４
【補正方法】変更
【補正の内容】
【００９４】
高周波磁場を印加した後、検査対象１０３から発せられる磁気共鳴信号を受信する際、磁気結合防止回路駆動装置１１５は、鳥かご型コイル６０１の磁気結合防止回路６０２のダイオード５１がオンとなるように制御電流を印加し、平面ループコイル６０３の磁気結合防止回路６０２’、６０２'’のダイオード５１に流す制御電流の値を０に設定する。これにより、鳥かご型コイル６０１の磁気結合防止回路６０２では、ダイオード５１がオンとなり、並列共振回路６６が周波数ｆ０で共振する。その結果、周波数ｆ０において鳥かご型コイル６０１のインピーダンスは極めて高くなり、鳥かご型コイル６０１にはほとんど電流が流れず磁界もほとんど発生しない。
【手続補正３】
【補正対象書類名】明細書
【補正対象項目名】０１１０
【補正方法】変更
【補正の内容】
【０１１０】
図１９は、第一の実施形態のソレノイドコイル５４０に電波シールド２１５を適用する場合を説明するための図である。本図に示すように、ソレノイドコイル５４０の並列回路部は、電波シールド２１５に覆われる。また、信号処理回路２１４は信号線２１３に接続される。なお、電波シールド２１５はアースに接地されているものとする。
【手続補正４】
【補正対象書類名】明細書
【補正対象項目名】０１１３
【補正方法】変更
【補正の内容】
【０１１３】
１：導体、３：ループ導体、４：直線導体、９：座標、１２：インダクタ、１４：インダクタ、１５：インダクタ、１６：インダクタ、３１：キャパシタ、３３：キャパシタ、３４：キャパシタ、３５：キャパシタ、３６：キャパシタ、５１：ＰＩＮダイオード、５２：ＰＩＮダイオード、５３：クロスダイオード、６１：直列共振回路、６２：平面ループコイル、６３：平面ループコイル、６６：並列共振回路、６８：並列共振回路、１００：ＭＲＩ装置、１０１：マグネット、１０２：傾斜磁場コイル、１０３：検査対象、１０４：シーケンサ、１０５：傾斜磁場電源、１０６：高周波発生器、１０８：受信器、１０９：計算機、１１０：ディスプレイ、１１１：記憶媒体、１１２：シムコイル、１１５：磁気結合防止回路駆動装置、１１６：送受信用ＲＦコイル、２００：ＭＲＩ装置、２０１：マグネット、２０２：分配器、２０３：信号増幅器、２０５：合成器、２０４：位相調整器、２０７：ピックアップコイル、２１２：制御用信号線、２１４：信号処理回路、２１５：電波シールド、５４０：ソレノイドコイル、５４１：回路、５４２：並列共振回路、５４３：並列共振回路、５４５：並列回路、５５０：直列共振回路、５５１：並列共振回路、５６０：鞍型コイル、５７０：平面ループコイル、５８０：蝶型コイル、５９０：送受信用ＲＦコイル、６００：ＲＦコイル、６０１：鳥かご型ＲＦコイル、６０２：磁気結合防止回路、６０３：平面ループコイル、６０４：磁気結合防止回路、６２１：平面ループコイル部、６２２：ループ面、６２３：磁場、６２４：ポート、６３１：平面ループコイル部、６３２：ループ面、６３３：磁場、６３４：ポート
【手続補正５】
【補正対象書類名】図面
【補正対象項目名】図１５
【補正方法】変更
【補正の内容】
【図１５】
2009125075.tif 000002
【手続補正６】
【補正対象書類名】図面
【補正対象項目名】図１７
【補正方法】変更
【補正の内容】
【図１７】
2009125075.tif 000003
【手続補正書】
【提出日】平成22年11月2日(2010.11.2)
【手続補正１】
【補正対象書類名】明細書
【補正対象項目名】００２１
【補正方法】変更
【補正の内容】
【００２１】
上下端折曲線２５，２６は、それぞれ外側縁２０から内側縁１９に亘って形成され、外側縁２０に位置する外側端縁部２５ａ，２６ａおよび内側縁１９に位置する内側端縁部２５ｂ，２６ｂを含む。上下端折曲線２５，２６は略平行に形成され、外側端縁部２５ａ，２６ａは内側端縁部２５ｂ，２６ｂよりも上端縁２１側に位置している。すなわち、折曲域２４は、第２ファスニング要素１４を横方向Ｘに二等分する縦中心線Ｐ−Ｐに対して傾斜している。縦中心線Ｐ−Ｐに対する垂線Ｑ−Ｑと上端折曲線２５の延長線とのなす角度αを３０〜６０°としている。もっとも好ましくは約４５°としている。
【手続補正２】
【補正対象書類名】明細書
【補正対象項目名】００２６
【補正方法】変更
【補正の内容】
【００２６】
このようなおむつ１において第１ファスニング要素１３と第２ファスニング要素１４とを係合する場合について図４を用いて説明する。周方向Ｚの内側、すなわち着用者側に位置する第１ファスニング要素１３に、周方向Ｚの外側に位置する第２ファスニング要素１４を係合する。係合時において第２ファスニング要素１４を折曲域２４に沿ってあらかじめ折り曲げておく。折曲域２４とその他の部分との剛性および肉厚が異なるから、この折曲域２４を介して折り曲げ易い。また、折曲域２４は、外側縁２０から内側縁１９に向かって下がるように傾斜しているので、下部２８を周方向Ｚ外側に向けて折り曲げることができる。下部２８を周方向Ｚ外側に向けて折り曲げるので、内側に折り曲げるよりも操作が容易であり、下部２８が第１ファスニング要素１３に不用意に係合するのを防止するとともに、下部２８のフック要素によって着用者の肌が傷つけられるのを防止することができる。
【手続補正３】
【補正対象書類名】明細書
【補正対象項目名】００３８
【補正方法】変更
【補正の内容】
【００３８】
図６は、第３の実施形態を示し、折曲誘導手段２３として、第２ファスニング要素１４の上部２７と下部２８とを分断する分離部４１を形成することを特徴としている。この特徴以外の他の構成要素は第１の実施形態と同様であるのでその詳細な説明を省略する。
分離部４１では、第２ファスニング要素１４を一部切除することによって折曲誘導手段２３を形成している。このような第２ファスニング要素１４は、分離部４１の上部２７側に上端折曲線２５が形成され、下部２８側に下端折曲線２６が形成される。分離部４１によって形成される折曲誘導手段２３の位置は、第１の実施形態と同様である。
【手続補正書】
【提出日】平成22年11月2日(2010.11.2)
【手続補正１】
【補正対象書類名】明細書
【補正対象項目名】００４９
【補正方法】変更
【補正の内容】
【００４９】
この実施形態では、接合部位４８は帯状のものではなく、前端部分４６から離間した局所的に接着剤を塗布した例を示している。
この形態によれば、接合部位４８に対して幅方向Ｘへの引張力を作用させることができればよく、傾斜部５２ｂの傾斜角度や傾斜の向きは適宜変更することができる。
【手続補正書】
【提出日】平成21年11月13日(2009.11.13)
【手続補正１】
【補正対象書類名】特許請求の範囲
【補正対象項目名】請求項１
【補正方法】変更
【補正の内容】
【請求項１】
筒状の本体と、該本体内に収容された内容器と、該内容器の底部外面に配設された加熱手段と、前記内容器の底部に取り付けられ、前記加熱手段と電気的に接続された上部接続器と、前記本体が着脱可能に載置され、前記上部接続器と電気的に接続されると共に電源に接続される下部接続器を有する載置台とを備えた電気ケトルにおいて、
前記加熱手段と前記上部接続器を電気的に接続する導線に温度ヒューズを設け、該温度ヒューズをヒューズ保持手段により前記加熱手段に接触させたことを特徴とする電気ケトル。
【手続補正２】
【補正対象書類名】特許請求の範囲
【補正対象項目名】請求項４
【補正方法】変更
【補正の内容】
【請求項４】
前記ヒューズ保持手段を前記内容器の底部に取り付ける際に、更に前記温度ヒューズの上端と前記加熱手段との間に前記保持部の変形代を設けたことを特徴とする請求項３に記載の電気ケトル。
【手続補正３】
【補正対象書類名】明細書
【補正対象項目名】０００５
【補正方法】変更
【補正の内容】
【０００５】
前記課題を解決するための手段として、本発明に係る電気ケトルは、筒状の本体と、該本体内に収容された内容器と、該内容器の底部外面に配設された加熱手段と、前記内容器の底部に取り付けられ、前記加熱手段と電気的に接続された上部接続器と、前記本体が着脱可能に載置され、前記上部接続器と電気的に接続されると共に電源に接続される下部接続器を有する載置台とを備えた電気ケトルにおいて、前記加熱手段と前記上部接続器を電気的に接続する導線に温度ヒューズを設け、該温度ヒューズをヒューズ保持手段により前記加熱手段に接触させたものである。
【手続補正４】
【補正対象書類名】明細書
【補正対象項目名】０００６
【補正方法】変更
【補正の内容】
【０００６】
電気ケトルに、加熱手段と上部接続器を電気的に接続する導線に温度ヒューズを設け、温度ヒューズをヒューズ保持手段により加熱手段に接触させたことで、万一空焚きにより加熱手段が異常加熱した場合でも、温度ヒューズがヒューズ保持手段を介して加熱手段の熱を受けて溶断され、加熱手段に電気が流れることを阻止する。従って加熱手段の異常加熱を防ぐことで外郭樹脂部品が溶ける等の不具合を防止し、電気ケトルの安全性を飛躍的に向上することができる。
【手続補正５】
【補正対象書類名】明細書
【補正対象項目名】００１０
【補正方法】変更
【補正の内容】
【００１０】
上記構成であれば、固定部を内容器に固定すると、金属製であるヒューズ保持手段の弾性により保持部が付勢され、保持部を加熱手段に圧接することができる。従って、温度ヒューズを保持部を介して確実に加熱手段に接触させることができる。
【手続補正６】
【補正対象書類名】明細書
【補正対象項目名】００１１
【補正方法】変更
【補正の内容】
【００１１】
前記ヒューズ保持手段を前記内容器の底部に取り付ける際に、更に前記温度ヒューズの上端と前記加熱手段との間に前記保持部の変形代を設けたことが好ましい。
【手続補正７】
【補正対象書類名】明細書
【補正対象項目名】００１５
【補正方法】変更
【補正の内容】
【００１５】
本発明の電気ケトルによれば、万一加熱手段が異常加熱した場合にバイメタルが不良であっても、加熱手段と上部接続器を電気的に接続する導線に温度ヒューズを設け、温度ヒューズを加熱手段に接触させたことで、温度ヒューズが加熱手段の熱を受けて溶断され、導線を遮断し加熱手段に電気が流れることを阻止する。従って加熱手段の異常加熱を防ぐことで外郭樹脂部品が溶ける等の不具合を防止し、電気ケトルの安全性を飛躍的に向上することができる。
【手続補正８】
【補正対象書類名】明細書
【補正対象項目名】００１７
【補正方法】変更
【補正の内容】
【００１７】
金属製のヒューズ保持手段は、内容器の底部に取り付ける際に、加熱手段と保持部とが当接した状態で固定部が、取付部の取付座面であって加熱手段から最遠の端部と最初に当接する。更に、前記固定部と前記取付座面との間に前記取付ねじの締め代を設けた構成であれば、固定部を内容器に固定すると、金属製であるヒューズ保持手段の弾性により保持部が付勢され、保持部を加熱手段に圧接することができる。従って、温度ヒューズを保持部を介して確実に加熱手段に接触させることができる。
【手続補正９】
【補正対象書類名】明細書
【補正対象項目名】００１８
【補正方法】変更
【補正の内容】
【００１８】
ヒューズ保持手段を内容器の底部に取り付ける際に、更に温度ヒューズの上端と加熱手段との間に保持部の変形代を設けたことで、温度ヒューズを加熱手段に容易に圧接することができるうえ、温度ヒューズをヒューズ保持手段に容易に挿通することができる。